(57)【要約】  本開示のある観点は、短いヘッダを有するパケットの安全な送信のための方法および装置を提供する。この方法は、再キーイング手続きの最中に（キーＩＤを持たない）短いＭＡＣヘッダを使用するパケットの使用を一時的に停止し、かつ新しいデフォルトのキーＩＤが再キーイング手続きを介して確定された後にこういったパケットの使用を再開することを含み得る。
2016503997.tif 000002
【特許請求の範囲】
【請求項１】
無線通信のための装置であって、
デバイスから短いパケットを受信するように構成された受信機と、キーＩＤフィールドを持たない前記短いパケットは、前記装置と前記デバイスの間で承認されたキーを識別する、
および
第１のデフォルトのキーＩＤを用いて前記受信された短いパケットのうちのいくつかを復号し、
前記デバイスとの再キーイング手続きに加わり、および
前記再キーイング手続きの最中に確定された第２のデフォルトのキーＩＤを用いて前記再キーイング手続き後に前記受信された短いパケットのうちのいくつかを復号する、
ように構成されたデコーダと、
を備える、装置。
【請求項２】
前記再キーイング手続きの最中に、前記装置は、キーＩＤフィールドを含む前記デバイスからの追加のパケットを受信する、請求項１に記載の装置。
【請求項３】
前記キーＩＤフィールドは、前記第１のデフォルトのキーＩＤを識別する、請求項２に記載の装置。
【請求項４】
前記デコーダは、前記再キーイング手続きがキーＩＤフィールドを持たないより多くの短いパケットを受信した後に完了すること、を決定するようにさらに構成される、請求項２に記載の装置。
【請求項５】
前記デコーダは、前記第２のデフォルトのキーＩＤに設定されたキーＩＤフィールドを含むパケットの受信に基づいて、前記第２のデフォルトのキーＩＤフィールドを決定するようにさらに構成される、請求項１に記載の装置。
【請求項６】
無線通信のための装置であって、
第１のデフォルトのキーＩＤを用いて前記装置とデバイスの間で承認されたキーを識別するキーＩＤフィールドを持たない第１の短いパケットを符号化し、前記デバイスとの再キーイング手続きに加わり、および前記再キーイング手続きの最中に確定された第２のデフォルトのキーＩＤを用いて前記再キーイング手続き後に前記キーＩＤを持たない第２の短いパケットを符号化する、ように構成されたエンコーダと、
および、
前記第１および第２の短いパケットを送信するように構成された送信機と、
を備える、無線通信のための装置。
【請求項７】
前記再キーイング手続きの最中に、前記装置は、キーＩＤフィールドを含む前記デバイスへのパケットを送信する、請求項６に記載の装置。
【請求項８】
前記キーＩＤフィールドは、前記第１のデフォルトのキーＩＤを識別する、請求項７に記載の装置。
【請求項９】
前記装置は、前記再キーイング手続きがキーＩＤフィールドを持たない前記第２の短いパケットを送信することによって完了することを示すように構成される、請求項７に記載の装置。
【請求項１０】
前記装置は、前記第２のデフォルトのキーＩＤに設定されたキーＩＤフィールドを含むパケットの送信に基づいて、前記第２のデフォルトのキーＩＤフィールドを示すように構成される、請求項６に記載の装置。
【請求項１１】
前記第１および第２の短いパケットは、ペアワイズ一時キー（ＰＴＫ）を用いて符号化される、請求項６に記載の装置。
【請求項１２】
前記第１および第２の短いパケットは、グループ一時キー（ＧＴＫ)を用いて符号化される、請求項６に記載の装置。
【請求項１３】
装置による無線通信のための方法であって、
デバイスから短いパケットを受信することと、前記短いパケットは前記装置と前記デバイスの間で承認されたキーを識別するキーＩＤフィールドを持たない、
第１のデフォルトのキーＩＤを用いて前記受信された短いパケットのうちのいくつかを復号することと、
前記デバイスとの再キーイング手続きに加わることと、および
前記再キーイング手続きの最中に確定された第２のデフォルトのキーＩＤを用いて前記再キーイング手続き後に前記受信された短いパケットのうちのいくつかを復号することと、
を備える、方法。
【請求項１４】
前記再キーイング手続きの最中に、前記装置は、キーＩＤフィールドを含む前記デバイスからの追加のパケットを受信する、請求項１３に記載の方法。
【請求項１５】
前記キーＩＤフィールドは、前記第１のデフォルトのキーＩＤを識別する、請求項１４に記載の方法。
【請求項１６】
前記再キーイング手続きがキーＩＤフィールドを持たないより多くの短いパケットを受信した後に完了すること、を決定することをさらに備える、請求項１４に記載の方法。
【請求項１７】
前記第２のデフォルトのキーＩＤに設定されたキーＩＤフィールドを含むパケットの受信に基づいて、前記第２のデフォルトのキーＩＤフィールドを決定することをさらに備える、請求項１３に記載の方法。
【請求項１８】
装置による無線通信のための方法であって、
第１のデフォルトのキーＩＤを用いて前記装置とデバイスの間で承認されたキーを識別するキーＩＤフィールドを持たない第１の短いパケットを符号化することと、
前記デバイスとの再キーイング手続きに加わることと、
前記再キーイング手続きの最中に確定された第２のデフォルトのキーＩＤを用いて前記再キーイング手続き後に前記キーＩＤを持たない第２の短いパケットを符号化することと、および、
前記第１および第２の短いパケットを送信すること、
を備える、方法。
【請求項１９】
前記再キーイング手続きの最中に、前記装置は、キーＩＤフィールドを含む前記デバイスへのパケットを送信する、請求項１８に記載の方法。
【請求項２０】
前記キーＩＤフィールドは前記第１のデフォルトのキーＩＤを識別する、請求項１９に記載の方法。
【請求項２１】
前記再キーイング手続きがキーＩＤフィールドを持たない前記第２の短いパケットを送信することによって完了すること、を示すことをさらに備える、請求項１９に記載の方法。
【請求項２２】
前記第２のデフォルトのキーＩＤに設定されたキーＩＤフィールドを含むパケットを送信することに基づいて、前記第２のデフォルトのキーＩＤフィールドを示すことをさらに備える、請求項１８に記載の方法。
【請求項２３】
前記第１および第２の短いパケットは、ペアワイズ一時キー（ＰＴＫ）を用いて符号化される、請求項１８に記載の方法。
【請求項２４】
前記第１および第２の短いパケットは、グループ一時キー（ＧＴＫ)を用いて符号化される、請求項１８に記載の方法。
【発明の詳細な説明】
【関連出願の相互参照】
【０００１】
[0001]本特許出願は、２０１３年１月７日に出願された米国仮特許出願第６１／７４９，７６０に対する優先権を主張し、本特許出願の譲受人に譲渡され、およびその全体において参照することによりここに明示的に組み込まれる。
【発明の分野】
【０００２】
[0002]本開示のある観点は一般的に、無線通信に関し、より具体的には、送信および受信デバイス間で承認されたキーを識別するキーＩＤフィールドがない短いパケットの安全な送信を可能にし得る技術に関する。
【背景技術】
【０００３】
[0003]無線通信システムは、音声、映像、パケットデータ、メッセージング、ブロードキャストなどの様々なタイプの通信コンテンツを提供するために広く展開されている。これらの無線ネットワークは、使用可能なネットワークリソースを共有することによって複数のユーザをサポートすることが可能な多元接続ネットワークであり得る。こういった多元接続ネットワークの例は、符号分割多元接続（ＣＤＭＡ）ネットワーク、時間分割多元接続（ＴＤＭＡ）ネットワーク、周波数分割多元接続（ＦＤＭＡ）ネットワーク、直交ＦＤＭＡ（ＯＦＤＭＡ）ネットワーク、および単一キャリアＦＤＭＡ（ＳＣ−ＦＤＭＡ）ネットワークを含む。
【０００４】
[0004]より大きいカバレッジおよび増大された通信範囲への要望に対処するために、様々なスキームが開発されている。こういったスキームの１つには、電気電子技術者協会（ＩＥＥＥ）の８０２．１１ａｈプロジェクトチームによって開発されているｓｕｂ−１−ＧＨｚ周波数帯域（例えば、米国における９０２−９２８ＭＨｚの範囲で動作する）がある。この開発は、他のＩＥＥＥ８０２．１１グループより大きい無線帯域を有し、およびより低い障害損失を有する周波数帯域を利用するという要望によって推進されている。
【発明の概要】
【０００５】
[0005]本開示のある観点は、無線通信のための装置を提供する。装置は典型的に、デバイスから短いパケットを受信するように構成された受信機と、該短いパケットは装置とデバイスの間で承認されたキーを識別するキーＩＤフィールドを持たない、および第１のデフォルトのキーＩＤを用いて受信された短いパケットのうちのいくつかを復号し、デバイスとの再キーイング手続きに加わり、および再キーイング手続きの最中に確定された第２のデフォルトのキーＩＤを用いて再キーイング手続き後に受信された短いパケットのうちのいくつかを復号するように構成されたデコーダとを含む。
【０００６】
[0006]本開示のある観点は、無線通信のための装置を提供する。装置は典型的に、第１のデフォルトのキーＩＤを用いて装置とデバイスの間で承認されたキーを識別するキーＩＤフィールドを持たない第１の短いパケットを符号化し、デバイスとの再キーイング手続きに加わり、および再キーイング手続きの最中に確定された第２のデフォルトのキーＩＤを用いて再キーイング手続き後にキーＩＤを持たない第２の短いパケットを符号化するように構成されたエンコーダと、および、第１および第２の短いパケットを送信するように構成された送信機を含む。
【０００７】
[0007]本開示のある観点は、無線通信のための装置を提供する。装置は典型的に、デバイスから短いパケットを受信するための手段と、該短いパケットは、装置とデバイスの間で承認されたキーを識別するキーＩＤフィールドを持たない、第１のデフォルトのキーＩＤを用いて受信された短いパケットのうちのいくつかを復号するための手段と、およびデバイスとの再キーイング手続きに加わるための手段と、ここにおいて、復号するための手段は、再キーイング手続きの最中に確定された第２のデフォルトのキーＩＤを用いて再キーイング手続き後に受信された短いパケットのうちのいくつかを復号するように構成される、を含む。
【０００８】
[0008]本開示のある観点は、無線通信のための装置を提供する。装置は典型的に、第１のデフォルトのキーＩＤを用いて装置とデバイスの間で承認されたキーを識別するキーＩＤフィールドを持たない第１の短いパケットを符号化するための手段と、デバイスとの再キーイング手続きに加わるための手段と、ここにおいて、符号化するための手段は、再キーイング手続きの最中に確定された第２のデフォルトのキーＩＤを用いて再キーイング手続き後にキーＩＤを持たない第２の短いパケットを符号化するように構成される、および、第１および第２の短いパケットを送信するための手段とを含む。
【０００９】
[0009]本開示のある観点は、装置による無線通信のための方法を提供する。該方法は典型的に、デバイスから短いパケットを受信することと、該短いパケットは装置とデバイスの間で承認されたキーを識別するキーＩＤフィールドを持たない、第１のデフォルトのキーＩＤを用いて受信された短いパケットのうちのいくつかを復号することと、デバイスとの再キーイング手続きに加わることと、および再キーイング手続きの最中に確定された第２のデフォルトのキーＩＤを用いて再キーイング手続き後に受信された短いパケットのうちのいくつかを復号することを含む。
【００１０】
[0010]本開示のある観点は、装置による無線通信のための方法を提供する。方法は典型的に、第１のデフォルトのキーＩＤを用いて装置とデバイスの間で承認されたキーを識別するキーＩＤフィールドを持たない第１の短いパケットを符号化することと、デバイスとの再キーイング手続きに加わることと、再キーイング手続きの最中に確定された第２のデフォルトのキーＩＤを用いて再キーイング手続き後にキーＩＤを持たない第２の短いパケットを符号化することと、および、第１および第２の短いパケットを送信することを含む。
【００１１】
[0011]本開示のある観点は、その上に記憶された命令を有するコンピュータ可読媒体を備える装置による無線通信のためのコンピュータ・プログラム・プロダクトを提供する。命令は一般的に、デバイスから短いパケットを受信し、該短いパケットは、装置とデバイスの間で承認されたキーを識別するキーＩＤフィールドを持たない、第１のデフォルトのキーＩＤを用いて受信された短いパケットのうちのいくつかを復号し、デバイスとの再キーイング手続きに加わり、および、再キーイング手続きの最中に確定された第２のデフォルトのキーＩＤを用いて再キーイング手続き後に受信された短いパケットのうちのいくつかを復号するための１つ又は複数のプロセッサによって実行可能である。
【００１２】
[0012]本開示のある観点は、その上に記憶された命令を有するコンピュータ可読媒体を備える装置による無線通信のためのコンピュータ・プログラム・プロダクトを提供する。命令は一般的に、第１のデフォルトのキーＩＤを用いて装置とデバイスの間で承認されたキーを識別するキーＩＤフィールドを持たない第１の短いパケットを符号化し、デバイスをとの再キーイング手続きに加わり、再キーイング手続きの最中に確定された第２のデフォルトのキーＩＤを用いて再キーイング手続き後にキーＩＤを持たない第２の短いパケットを符号化し、および、第１および第２の短いパケットを送信するための１つ又は複数のプロセッサによって実行可能である。
【００１３】
[0013]本開示のある観点は、無線通信のためのアクセス端末を提供する。アクセス端末は典型的に、少なくとも１つのアンテナと、少なくとも１つのアンテナを介してデバイスから短いパケットを受信するように構成された受信機と、該短いパケットは装置とデバイスの間で承認されたキーを識別するキーＩＤフィールドを持たない、および、第１のデフォルトのキーＩＤを用いて受信された短いパケットのうちのいくつかを復号し、デバイスとの再キーイング手続きに加わり、および、再キーイング手続きの最中に確定された第２のデフォルトのキーＩＤを用いて再キーイング手続き後に受信された短いパケットのうちのいくつかを復号するように構成されたデコーダと、を含む。
【００１４】
[0014]本開示のある観点はアクセスポイントを提供する。アクセスポイントは典型的に、少なくとも１つのアンテナと、第１のデフォルトのキーＩＤを用いて装置とデバイスの間で承認されたキーを識別するキーＩＤフィールドを持たない第１の短いパケットを符号化し、デバイスとの再キーイング手続きに加わり、および再キーイング手続きの最中に確定された第２のデフォルトのキーＩＤを用いて再キーイング手続き後にキーＩＤを持たない第２の短いパケットを符号化するように構成されたエンコーダと、および、前記少なくとも１つのアンテナを介して第１および第２の短いパケットを送信するように構成された送信機と、を含む。
【図面の簡単な説明】
【００１５】
[0015]上で引用した本開示の特徴が詳細に理解され得る方法のために、複数の観点を参照することにより上で簡潔に要約されたより具体的な説明が行われ得、そのうちのいくつかが添付の図面に示される。しかし、添付の図面は、本開示のある典型的な観点のみを示しているため、説明が他の等しく有効な観点を許容し得るという理由で、その範囲を限定していると考えられるべきではないことが留意されるはずである。
【図１】[0016]図１は、本開示のある観点にしたがった例としての無線通信システムネットワークの図を示す。
【図２】[0017]図２は、本開示のある観点にしたがった例としてのアクセスポイントおよびユーザ端末のブロック図を示す。
【図３】[0018]図３は、本開示のある観点にしたがった例としての無線デバイスのブロック図を示す。
【図４Ａ】[0019]図４Ａは、短いＭＡＣヘッダを利用する例としてのパケット構造を示す。
【図４Ｂ】[0020]図４Ｂは、本開示のある観点にしたがったキーＩＤフィールドを持たない短いＭＡＣヘッダを利用する例としてのパケット構造を示す。
【図５】[0021]  図５は、本開示のある観点にしたがった受信機による無線通信のための例としての動作のブロック図を示す。
【図５Ａ】[0022]  図５Ａは、図５に示された動作を実行可能な例としての手段を示す。
【図６】[0023]  図６は、本開示のある観点にしたがった送信機による無線通信のための例としての動作のブロック図を示す。
【図６Ａ】[0024]  図６Ａは、図６に示された動作を実行可能な例としての手段を示す。
【詳細な説明】
【００１６】
[0025]本開示の様々な観点は、添付の図面を参照して、以下でさらに十分に説明される。本開示は、しかし、多くの異なる形式で具体化され、および本開示を通して示される任意の特定の構造または機能に限定されると解釈するべきでない。むしろ、これらの観点は、本開示が全体を通して完全となるようおよび当業者に対して本開示の範囲を十分に伝えるために提供される。ここでの教示に基づいて、当業者は、本開示の範囲が、本開示のいずれ他の観点から独立して実施されようが、またはそれと組み合わせて実施されようが、ここで開示された本開示の任意の観点を保護することを意図していることを評価すべきである。例えば、ここで説明された観点のいくつかを用いて、装置は実装され得、または方法は実行され得る。さらに、本開示の範囲は、他の構造、機能、またはここで説明される本開示の様々な観点に加えたまたはそれ以外の構造および機能を用いて実施されるこういった装置または方法を保護することを意図する。ここで開示された本開示のいずれの観点も、請求項の１つまた複数の要素によって具体化され得ることが理解されるべきである。
【００１７】
[0026]特定の観点がここに記載されたが、これらの観点の多くの変形および並べ替えは本開示の範囲内である。好適な観点のうちのいくつかの利益および利点が述べられるが、本開示の範囲は、特定の利益、使用、または目的に限定されることを意図しているものではない。むしろ、本開示の観点は、異なる無線技術、システム構成、ネットワーク、および送信プロトコルに広く適用可能であることを意図しており、それらのうちのいくつかは、図およびそれに続く好適な観点の説明における例によって示される。詳細な説明および図面は、添付の請求項およびその等価物によって定義される本開示の範囲を限定するというよりはむしろ本開示の単なる例示にすぎない。
【００１８】
例としての無線通信システム
[0027]ここに記載された技術は、直交多重スキームに基づく通信システムを含む様々な広帯域無線通信システムに用いられ得る。こういった通信システムの例は、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システム、などを含む。ＳＤＭＡシステムは、複数のユーザ端末に属するデータを同時に送信するために異なる方向を十分に利用し得る。ＴＤＭＡシステムは、送信信号を異なるタイムスロットに分割し、各タイムスロットが異なるユーザ端末に割り当てられることによって同じ周波数チャネルを共有することを複数のユーザ端末に可能にし得る。ＯＦＤＭＡシステムは、全体のシステム帯域幅を複数の直交副搬送波に分割する変調方式である直交周波数分割多重（ＯＦＤＭ）を利用する。これらの副搬送波はトーン、ビン、などとも呼ばれ得る。ＯＦＤＭを用いた場合、各副搬送波は、データを用いて独立して変調され得る。ＳＣ−ＦＤＭＡシステムは、システム帯域幅をわたって分散される副搬送波上で送信を行うためにインターリーブされたＦＤＭＡ（ＩＦＤＭＡ）を利用し、隣接する副搬送波のブロック上で送信を行うためにローカライズされたＦＤＭＡ（ＬＦＤＭＡ）を利用し、または、隣接する副搬送波の複数のブロック上で送信を行うために拡張されたＦＤＭＡ（ＥＦＤＭＡ）を利用し得る。一般的に、変調シンボルは、ＯＦＤＭを使用する周波数領域で、および、ＳＣ−ＦＤＭを使用する時間領域で送られる。
【００１９】
[0028]ここでの教示は、様々な有線または無線装置（例えば、ノード）に組み込まれ得る（例えば、その範囲内に実装されるか、またはそれによって実行される）。いくつかの観点において、ここでの教示にしたがって実装された無線ノードは、アクセスポイントまたはアクセス端末を備え得る。
【００２０】
[0029]アクセスポイント（「ＡＰ」）は、Ｎｏｄｅ  Ｂ、無線ネットワークコントローラ（「ＲＮＣ」）、発展型Ｎｏｄｅ  Ｂ（ｅＮＢ）、基地局コントローラ（「ＢＳＣ」）、ベーストランシーバ基地局（「ＢＴＳ」）、基地局（「ＢＳ」）、トランシーバ機能（「ＴＦ」）、無線ルータ、無線トランシーバ、ベーシックサービスセット（「ＢＳＳ」）、拡張サービスセット（「ＥＳＳ」）、無線基地局（「ＲＢＳ」）、またはいくつかの他のターミノロジーを備えるか、それらとして実装されるか、または、それらとして知られ得る。
【００２１】
[0030]アクセス端末（「ＡＴ」）は、加入者局、加入者ユニット、移動局（ＭＳ）、遠隔ステーション、遠隔端末、ユーザ端末（ＵＴ）、ユーザエージェント、ユーザデバイス、ユーザ機器（ＵＥ）、ユーザ局、またはいくつかの他のターミノロジーを備えるか、それらとして実装されるか、またはそれらとして知られ得る。いくつかの実装において、アクセス端末は、セルラー電話、コードレス電話、セッションイニシエーションプロトコル（「ＳＩＰ」）電話、無線ローカルループ（「ＷＬＬ」）局、パーソナル・デジタル・アシスタント（「ＰＤＡ」）、無線接続機能を有するハンドヘルドデバイス、または無線モデムに接続されるいくつかの他の適切な処理デバイスであり得る。従って、ここで教示された１つまたは複数の観点は、無線または有線媒体を介して通信を行うように構成された電話（例えば、セルラー電話またはスマートフォン）、コンピュータ（例えば、ラップトップ）、タブレット、ポータブル通信デバイス、ポータブルコンピュータ計算デバイス（例えば、パーソナルデータアシスタント）、エンターテーメントデバイス（例えば、音楽または映像デバイス、または衛星無線）、グローバル測位システム（ＧＰＳ）デバイス、または任意の他の適切なデバイスに組み込まれ得る。いくつかの観点において、ノードは無線ノードである。こういった無線ノードは、例えば、有線または無線通信リンクを介して、ネットワーク（例えば、インターネットまたはセルラーネットワークのような広域ネットワーク）のためのまたはネットワークへ向けた接続性を提供し得る。
【００２２】
[0031]図１は、複数のアクセスポイントと複数のユーザ端末を有するマルチアクセスマルチ入力マルチ出力（ＭＩＭＯ）システム１００を示す。簡単のために、アクセスポイント１１０のみが図１に示される。アクセスポイントは一般的にユーザ端末と通信を行う固定局であり、ならびに基地局またはいくつかの他のターミノロジーと呼ばれることもあり得る。ユーザ端末は、固定型または移動型であり得、かつ移動局、無線デバイス、またはいくつかの他のターミノロジーとも呼ばれ得る。アクセスポイント１１０は、ダウンリンクおよびアップリンク上で、任意の既定の時点に１つまたは複数のユーザ端末１２０と通信し得る。ダウンリンク（すなわち、順方向リンク）は、アクセスポイントからユーザ端末までの通信リンクであり、ならびにアップリンク（すなわち、逆方向リンク）は、ユーザ端末からアクセスポイントまでの通信リンクである。ユーザ端末はまた、別のユーザ端末とピアツーピア通信を行い得る。システムコントローラ１３０はアクセスポイントに結合されかつ協調と制御をもたらす。
【００２３】
[0032]下記の開示の一部は、空間分割多元接続（ＳＤＭＡ）を介して通信可能なユーザ端末１２０を説明する一方で、ある観点に関して、ユーザ端末１２０は、ＳＤＭＡをサポートしないいくつかのユーザ端末をも含み得る。従って、こういった観点に関して、ＡＰ１１０は、ＳＤＭＡおよび非ＳＤＭＡ両方のユーザ端末と通信を行うように構成され得る。このアプローチは、従来通りユーザ端末のより古い型（「レガシー」ステーション）に、企業において採用されそれらの有益な寿命を延長し続けることを可能にする一方で、より新しいＳＤＭＡユーザ端末に適していると判断された場合に導入されることを可能にする。
【００２４】
[0033]システム１００は、ダウンリンクおよびアップリンクでのデータ送信のために複数の送信および複数の受信アンテナを用いる。アクセスポイント１１０は
【数１】
2016503997.tif 000003
【００２５】
個のアンテナを装備し、かつダウンリンク送信のためのマルチ入力（ＭＩ）とアップリンク送信のためのマルチ出力（ＭＯ）を表す。選択された
【数２】
2016503997.tif 000004
【００２６】
個のユーザ端末１２０のセットは、ダウンリンク送信のためのマルチ出力とアップリンク送信のためのマルチ入力を集合的に表す。純粋なＳＤＭＡについて、
【数３】
2016503997.tif 000005
【００２７】
個のユーザ端末用のデータシンボルストリームが、いくつかの手段によって、コード、周波数、または時間において多重化されない場合、
【数４】
2016503997.tif 000006
【００２８】
を有することが望ましい。データシンボルストリームが、ＴＤＭＡ技術、ＣＤＭＡを用いた異なるコードチャネル、ＯＦＤＭを用いたサブバンドのまとまりのないセットなどを用いて多重化が可能な場合、
【数５】
2016503997.tif 000007
【００２９】
は
【数６】
2016503997.tif 000008
【００３０】
を超え得る。各選択されたユーザ端末は、アクセスポイントへユーザ特定のデータを送信し、および／またはアクセスポイントからユーザ特定のデータを受信する。一般的に、各選択されたユーザ端末は、１つまたは複数のアンテナ（すなわち、
【数７】
2016503997.tif 000009
【００３１】
）を装備し得る。選択された
【数８】
2016503997.tif 000010
【００３２】
個のユーザ端末は、同じまたは異なる数のアンテナを有することが可能である。
【００３３】
[0034]ＳＤＭＡシステムは、時分割デュプレックス（ＴＤＤ）システムまたは周波数分割デュプレックス（ＦＤＤ）システムであり得る。ＴＤＤシステムについて、ダウンリンクおよびアップリンクは、同じ周波数帯域を共有する。ＦＤＤシステムについて、ダウンリンクおよびアップリンクは、異なる周波数帯域を使用する。ＭＩＭＯシステム１００は、送信のために単一搬送波または多重搬送波を利用し得る。各ユーザ端末には、単一のアンテナ（例えば、コストダウンを保持するために）または複数のアンテナ（例えば、付加的なコストがサポートされることが可能な場所で）が装備され得る。ユーザ端末１２０が送信／受信を異なるタイムスロットに分割し、各タイムスロットが異なるユーザ端末１２０に割り当てられることによって、同じ周波数チャネルを共有する場合、システム１００はＴＤＭＡシステムでもあり得る。
【００３４】
[0035]図２は、ＭＩＭＯシステム１００におけるアクセスポイント１１０と２つのユーザ端末１２０ｍおよび１２０ｘのブロック図を示す。アクセスポイント１１０は、
【数９】
2016503997.tif 000011
【００３５】
個のアンテナ２２４ａから２２４ｔまでを装備する。ユーザ端末１２０ｍは、
【数１０】
2016503997.tif 000012
【００３６】
個のアンテナ２５２ｍａから２５２ｍｕまでを装備し、ならびにユーザ端末１２０ｘは、
【数１１】
2016503997.tif 000013
【００３７】
個のアンテナ２５２ｘａから２５２ｘｕまでを装備する。アクセスポイント１１０は、ダウンリンク用の送信エンティティおよびアップリンク用の受信エンティティである。各ユーザ端末１２０は、アップリンク用の送信エンティティおよびダウンリンク用の受信エンティティである。ここで用いられたように、「送信エンティティ」とは、無線チャネルを介してデータを送信可能な独立して操作される装置またはデバイスであり、ならびに「受信エンティティ」とは、無線チャネルを介してデータを受信可能な独立して操作される装置またはデバイスである。下記の説明において、下付文字「ｄｎ」はダウンリンクを意味し、ならびに下付文字「ｕｐ」はアップリンクを意味し、Ｎｕｐ個のユーザ端末が、アップリンク上での同時送信のために選択され、Ｎｄｎ個のユーザ端末が、ダウンリンク上での同時送信のために選択され、Ｎｕｐは、Ｎｄｎと等しくても良いし等しくなくても良く、およびＮｕｐとＮｄｎは、静的値(static value)であっても良くまたはそれぞれ間隔をスケジュールするために変更可能である。ビームステアリングまたはいくつかの他の空間処理技術は、アクセスポイントおよびユーザ端末において用いられ得る。
【００３８】
[0036]アップリンク上で、アップリンク送信のために選択された各ユーザ端末１２０において、送信（ＴＸ）データプロセッサ２８８は、データソース２８６からトラヒックデータをおよびコントローラ２８０から制御データを受信する。ＴＸデータプロセッサ２８８は、ユーザ端末のために選択されたレートと関連するコード化および変調スキームに基づいて、ユーザ端末へのトラヒックデータを処理し（例えば、符号化、インターリーブ、および変調する）およびデータシンボルストリームを提供する。ＴＸ空間プロセッサ２９０は、データシンボルストリーム上で空間処理を行い、および
【数１２】
2016503997.tif 000014
【００３９】
個の送信シンボルストリームを
【数１３】
2016503997.tif 000015
【００４０】
個のアンテナへ提供する。各送信機ユニット（ＴＭＴＲ）２５４は、アップリンク信号を生成するために、各送信シンボルストリームを受信および処理する（例えば、アナログに変換する、増幅する、フィルターをかける、および周波数アップコンバートする）。
【数１４】
2016503997.tif 000016
【００４１】
個の送信機ユニット２５４は、
【数１５】
2016503997.tif 000017
【００４２】
個のアンテナ２５２からアクセスポイントへの送信のために
【数１６】
2016503997.tif 000018
【００４３】
個のアップリンク信号を提供する。
【００４４】
[0037]Ｎｕｐ個のユーザ端末が、アップリンクでの同時送信のためにスケジュールされ得る。これらのユーザ端末のそれぞれは、そのデータシンボルストリーム上で空間処理を行い、およびアップリンク上でその送信シンボルストリームのセットをアクセスポイントに送信する。
【００４５】
[0038]アクセスポイント１１０において、
【数１７】
2016503997.tif 000019
【００４６】
個のアンテナ２２４ａから２２４ａｐは、アップリンク上で送信を行う全てのＮｕｐユーザ端末からアップリンク信号を受信する。各アンテナ２２４は、受信信号を各受話器ユニット（ＲＣＶＲ）２２２に提供する。各受信機ユニット２２２は、送信機ユニット２５４によって行われることに対する相補的な処理を行い、かつ受信されたシンボルストリームを提供する。ＲＸ空間プロセッサ２４０は、
【数１８】
2016503997.tif 000020
【００４７】
個の受信機ユニット２２２からの
【数１９】
2016503997.tif 000021
【００４８】
個の受信されたシンボルストリーム上で受信機空間処理を行い、およびＮｕｐ個の再生（recovered）アップリンクデータシンボルストリームを提供する。受信機空間処理は、チャネル相関マトリックス逆変換（ＣＣＭＩ）、最小平均２乗誤差（ＭＭＳＥ）、ソフト干渉キャンセレーション（ＳＩＣ）、またはいくつかの他の技術にしたがって行われる。各再生アップリンクデータシンボルストリームは、各ユーザ端末によって送信されたデータシンボルストリームの推定である。ＲＸデータプロセッサ２４２は、復号されたデータを取得するために、そのストリームに使用されたレートにしたがって、各再生アップリンクデータシンボルストリームを処理する（例えば、復調する、ディインタリーブする、および復号する）。各ユーザ端末用の復号されたデータは、格納するためのデータ受信装置（データシンク、data sink）２４４および／またはさらに処理するためのコントローラ２３０に提供され得る。
【００４９】
[0039]ダウンリンク上で、アクセスポイント１１０において、ＴＸデータプロセッサ２１０は、ダウンリンク送信のためにスケジュールされたＮｄｎ個のユーザ端末のためにデータソース２０８からトラヒックデータを、コントローラ２３０から制御データを、および場合によってはスケジューラ２３４から他のデータを受信する。様々なタイプのデータは、異なる移送チャネルに送られ得る。ＴＸデータプロセッサ２１０は、そのユーザ端末用に選択されたレートに基づいて、各ユーザ端末のためのトラヒックデータを処理する（例えば、符号化する、インターリーブする、および変調する）。ＴＸデータプロセッサ２１０は、Ｎｄｎ個のユーザ端末にＮｄｎ個のダウンリンクデータシンボルストリームを提供する。ＴＸ空間プロセッサ２２０は、Ｎｄｎ個のダウンリンクデータシンボルストリーム上で（本開示で説明されたようなプレコーディングまたはビームフォーミングのような）空間処理を行い、および
【数２０】
2016503997.tif 000022
【００５０】
個の送信シンボルストリームを
【数２１】
2016503997.tif 000023
【００５１】
個のアンテナへ提供する。各送信機ユニット２２２は、ダウンリンク信号を生成するために、各送信シンボルストリームを受信および処理する。
【数２２】
2016503997.tif 000024
【００５２】
個の送信機ユニット２２２は、
【数２３】
2016503997.tif 000025
【００５３】
個のアンテナ２２４からユーザ端末への送信のために
【数２４】
2016503997.tif 000026
【００５４】
個のダウンリンク信号を提供する。
【００５５】
[0040]各ユーザ端末１２０において、
【数２５】
2016503997.tif 000027
【００５６】
個のアンテナ２５２は、
【数２６】
2016503997.tif 000028
【００５７】
個のダウンリンク信号をアクセスポイント１１０から受信する。各受信機ユニット２５４は、関連するアンテナ２５２からの受信信号を処理し、および受信されたシンボルストリームを提供する。ＲＸ空間プロセッサ２６０は、
【数２７】
2016503997.tif 000029
【００５８】
個の受信機ユニット２５４から
【数２８】
2016503997.tif 000030
【００５９】
個の受信されたシンボルストリーム上で受信機空間処理を行い、かつユーザ端末に再生ダウンリンクデータシンボルストリームを提供する。受信機空間処理は、ＣＣＭＩ、ＭＭＳＥ、またはいくつかの他の技術にしたがって行われる。ＲＸデータプロセッサ２７０は、ユーザ端末のために復号されたデータを取得するために、再生ダウンリンクデータシンボルストリームを処理する（例えば、復調、ディインタリーブ、および復号する）。
【００６０】
[0041]各ユーザ端末１２０において、チャネル推定器２７８は、ダウンリンクチャネル応答を推定し、およびチャネル利得推定、ＳＮＲ推定、ノイズ分散などを含み得るダウンリンクチャネル推定を提供する。同様に、チャネル推定器２２８は、アップリンクチャネル応答を推定し、およびアップリンクチャネル推定を提供する。各ユーザ端末のためのコントローラ２８０は概して、そのユーザ端末のためのダウンリンクチャネル応答マトリックス
【数２９】
2016503997.tif 000031
【００６１】
に基づいて、ユーザ端末のための空間フィルタマトリックスを導出する。コントローラ２３０は、有効なアップリンクチャネル応答マトリックス
【数３０】
2016503997.tif 000032
【００６２】
に基づいて、アクセスポイントのための空間フィルタマトリックスを導出する。各ユーザ端末のためのコントローラ２８０は、フィードバック情報（例えば、ダウンリンクおよび／またはアップリンクの固有ベクトル、固有値、ＳＮＲ推定、など）をアクセスポイントに送り得る。コントローラ２３０および２８０はまた、それぞれアクセスポイント１１０とユーザ端末１２０において、様々な処理ユニットの動作を制御する。
【００６３】
[0042]図３は、ＭＩＭＯシステム１００において用いられ得る無線デバイス３０２で使用され得る様々な構成部品を示す。無線デバイス３０２は、ここに記載された様々な方法を実施するように構成され得るデバイスの例である。無線デバイス３０２は、アクセスポイント１１０またはユーザ端末１２０であり得る。
【００６４】
[0043]無線デバイス３０２は、無線デバイス３０２の動作を制御するプロセッサ３０４を含み得る。プロセッサ３０４は、中央処理装置（ＣＰＵ）とも呼ばれ得る。読み取り専用メモリ（ＲＯＭ）とランダムアクセスメモリ（ＲＡＭ）の両方を含み得るメモリ３０６は、命令とデータをプロセッサ３０４に提供する。メモリ３０６の一部は、不揮発性ランダムアクセスメモリ（ＮＶＲＡＭ）をも含み得る。プロセッサ３０４は概して、メモリ３０６に格納されたプログラム命令に基づいて、論理および算術演算を実行する。メモリ３０６内の命令は、ここに記載された方法を実施するために実行可能であり得る。
【００６５】
[0044]無線デバイス３０２は、無線デバイス３０２と遠隔ロケーションの間でデータの送信および受信を可能にするために、送信機３１０と受信機３１２を含み得るハウジング３０８をも含みえる。送信機３１０と受信機３１２はトランシーバ３１４に組みあわされ得る。単一または複数の送信アンテナ３１６は、ハウジング３０８に取り付けられ、および電気的にトランシーバ３１４に結合され得る。無線デバイス３０２は、複数の送信機、複数の受信機および／または複数のトランシーバをも含み得る（不図示）。
【００６６】
[0045]無線デバイス３０２は、トランシーバ３１４によって受信された信号のレベルを検出および数値化しようとする際に用いられる信号検出器３１８をも含み得る。信号検出器３１８は、総エネルギー、シンボル毎のサブ搬送波毎のエネルギー、パワー・スペクトル密度、および他の信号のような信号を検出し得る。無線デバイス３０２は、信号を処理する際に使用するためのデジタル信号プロセッサ（ＤＳＰ）３２０をも含み得る。
【００６７】
[0046]無線デバイス３０２の様々な構成部品は、データバスに加えて、電力バス、制御信号バス、およびステータス信号バスを含み得るバスシステム３２２によって共に結合され得る。
【００６８】
短いＭＡＣヘッダ
[0047]暗号ブロック連鎖メッセージ認証コード（ＣＢＣ−ＭＡＣ）プロトコル（ＣＣＭＰ）を用いるカウンターモード（ＣＴＲ）は、暗号保護８０２．１１ＭＰＤＵに用いられることが可能なプロトコルである。保護は、通信無線デバイス間で承認されたキーに基づく。グループトラヒックは、グループ一時キー（ＧＴＫ）を用いて保護され、その一方でユニキャストトラヒックは、その一部が一時キー（ＴＫ）であるペアワイズ一時キー（ＰＴＫ）を用いて保護される。
【００６９】
[0048]図４Ａは、短いＭＡＣヘッダ４１０、ＣＣＭＰヘッダ４２０、メッセージ完全性符号（ＭＩＣ）４３０およびフレームチェックシーケンス（ＦＣＳ）４４０を有するパケット４００Ａ（例えば、ＭＰＤＵ）を示す。
【００７０】
[0049]例示されたとおり、短いＭＡＣヘッダ４１０は、データパケットのフレームコントロール（ＦＣ）フィールド４１２、デスティネーションアドレス４１４とソースアドレス４１６およびシーケンスコントロールフィールド４１８を含み得る。例示されたとおり、ＣＣＭＰヘッダ４２０は、パケットナンバー（ＰＮ）およびＥｘｔ  ＩＶフィールドとキーＩＤフィールドを有するキーＩＤオクテット４２２を有し得る。例示されたとおり、パケット数は、６オクテット（例示されたように、ＰＮコードは、ＣＣＭＰヘッダ４２０の最初の２つのオクテット４２６と最後の４つのオクテット４２８に伝えられ得る）にわたって格納される４８個のビット数であり、および各後続のパケットにインクリメントされる。
【００７１】
[0050]例示されたとおり、キーＩＤオクテット４２２は、Ｅｘｔ  ＩＶフィールド（ビット５）、キーＩＤフィールド（ビット６−７）、およびリザーブされたサブフィールド（ビット０−４）を含み得る。ＣＣＭＰヘッダ４２０内のこの情報は、パケットの完全性と認証を保護するデータユニットとＭＩＣ４３０を暗号化するのに用いられ得る。他方で、誤り検出と修正に用いられるＦＣＳ４４０は、概して暗号化されない。
【００７２】
暗黙の再キーイングメカニズム(IMPLICIT REKEYING MECHANISM)
[0051]新しいＧＴＫまたはＰＴＫがデバイス間で承認される必要のある、あるシナリオが存在する。この手続きは一般的に再キーイングと呼ばれる。ＧＴＫは概して、安全の目的でかなり頻繁にＡＰによって再キーイングされる。頻繁な再キーイングは、ベーシックサービスセット（ＢＳＳ）を離れる（leave）デバイスをもたらし、やがてＢＳＳからグループトラヒックを復号するためのそれらの能力を喪失することになる。ＰＴＫはまた、パケットナンバー（ＰＮ）のスペースが使いつくされたときにも再キーイングされることが可能であるが、これは、ＰＮ（６オクテット）の大きいサイズのせいでそれほど頻繁な事象ではない。
【００７３】
[0052]再キーイングが円滑な事象であるために、各ＭＰＤＵは、並行して使用され得る多数のキーのうちの１つを示すことが可能である。これは、古いキーが再試行されるパケットにも依然として使用されることが可能でありながらさらに新しいキーが設定されるのを可能にする。パケットを保護するために用いられる特定のキーは、キー識別子（キーＩＤ）によって示される。図４Ａに示されるように、キーＩＤは概して、パケットのＭＡＣヘッダに含まれる。
【００７４】
[0053]ある標準（８０２．１１ａｈのような）は、短いＭＡＣヘッダを有するフレームを定義し得、そこにはキーＩＤがすでに存在しない。図４Ｂは、例えば、省略されたキーＩＤフィールドを示す「Ｘ」を有するフレーム４００Ｂを示す。キーＩＤフィールドの欠落は、（例えば、デバイスが、どのキーが再キーイングの最中に用いられるかを知ることが必要であるといった）キー選択および再キーイングに関する課題を提起し得る。
【００７５】
[0054]こういった場合、どのキーが使用されるかを確定し、かつ再キーイング手続きを介して新しいキーの設定を可能にすることが送信および受信デバイスにとって必要であり得る。
【００７６】
[0055]本開示の観点は、送信および受信デバイスの両方に、短いＭＡＣヘッダを有するフレームの保護に用いられ得るデフォルトのキーＩＤを承認することを可能にする技術を提供し、そして暗黙の再キーイング手続きが新しい（フレッシュな）キーに切り替えるために用いられる。
【００７７】
[0056]したがって、本開示のある観点は、送信および受信デバイスに短いＭＡＣヘッダを有するフレームの保護に用いられるデフォルトのキーＩＤを承認することを可能にする技術を提供し、かつ暗黙の再キーイング手続きが新しい（フレッシュ）キーに切り替えるために用いられる。
【００７８】
[0057]ある観点にしたがって、暗黙の再キーイング手続きは、短いＭＡＣヘッダを有するフレーム（４００Ｂ）の使用を一時的に停止することを含む。この時間中、標準的なフレーム（例えば、４００Ａ）は現在のキーＩＤを用いて送信される。次に、新しいキーとキーＩＤが承認される（例えば、新しいまたは既存のキーのハンドシェイクを用いて）。新しいキーとキーＩＤが承認されると、短いＭＡＣヘッダを有するフレームのためのデフォルトのキーＩＤは、（キーＩＤを持たない）短いＭＡＣヘッダを有するフレームの使用が再開可能になった後、（新しいキーとキーＩＤの成功裏の交渉によってもたらされた）新しいキーＩＤとなる。
【００７９】
[0058]ＰＴＫ（ユニキャストトラヒック）のためのこういった暗黙の再キーイング手続きは、下記の例を用いて示され得る。再キーイング手続きの前に、短いＭＡＣヘッダを有するフレームは、ユニキャストトラヒックのためにデフォルトのキーＩＤを用いる（例えば、キーＩＤ１）。ある時点で、ＡＰはＰＴＫを再キーイングしようとする。この時点から、ＡＰは短いＭＡＣヘッダを有するフレームを使用することを停止し、そしてキーＩＤ１（現在のＰＴＫ）を有したままで、特定の送り先へのユニキャストトラヒックに標準的なフレームのみを使用する。
【００８０】
[0059]再キーイング手続きの最中、ＡＰは、この例においては、キーＩＤ２を用いて、新しいペアワイズキーのためにノンスをＳＴＡと交換する。ある観点にしたがって、ノンスの交換は、ユニキャストの短いヘッダのためのデフォルトのペアワイズキーをキーＩＤ２に暗黙的に切り替え得る。ノンスの交換が実行され、および新しいＰＴＫがＡＰとＳＴＡによって決定されることができると、ＡＰは新しいキーに切り替える。この切り替えは、キーＩＤ２を有する標準のユニキャストフレームを用いることによって、あるいは（現状ではやはりキーＩＤ２を用いる）短いＭＡＣヘッダを有するフレームの使用を再開することによって示され得る。
【００８１】
[0060]ＧＴＫ（グループトラヒック）のための暗黙の再キーイング手続きは、下記の例に示される。この例において、短いＭＡＣヘッダを有するフレームのためのデフォルトのＧＴＫは、再キーイング手続きの前にキーＩＤ３である。再び、ある時点で、ＡＰは、ＧＴＫを再キーイングしようとする。その時点から、ＡＰは、ＧＴＫキーＩＤ３（現在のＧＴＫ）を有するグループトラヒックのために標準のフレームのみを使用する。
【００８２】
[0061]再キーイング手続きの最中、ＡＰは、ＳＴＡ（例えば、グループ送信によって対象となった全ての局）にＧＴＫキーＩＤ４をインストールするために、ＡＰが関連する全てのＳＴＡとグループキーハンドシェイクを実行する。各グループキーハンドシェイクは、短いＭＡＣヘッダを有するフレームのためのデフォルトのグループキーを新しいキーＩＤ４に暗黙的に切り替える。
【００８３】
[0062]全てのグループキーのハンドシェイクが実行されたときに、ＡＰは、キーＩＤ４を有する標準のグループフレームを用いるか、あるいは（現状ではやはりキーＩＤ４を用いる）短いＭＡＣヘッダを有するグループフレームを用いることによって新しいキーに切り替える。
【００８４】
[0063]図５は、本開示の観点にしたがって、受信装置による無線通信のための例としての動作５００のブロック図を示す。動作５００は、アクセスポイント（ＡＰ）とのセッションに係る受信局（ＲＸ−ＳＴＡ）のような装置によって実行され得る。
【００８５】
[0064]５０２において、装置はデバイスから短いパケットを受信し、キーＩＤフィールドを持たない該短いパケットは、装置とデバイスの間で承認されたキーを識別する。５０４において、装置は、第１のデフォルトのキーＩＤを用いて、受信された短いパケットのうちのいくつかを復号する。
【００８６】
[0065]５０６において、装置は、デバイスとの再キーイング手続きに加わる。５０８において、装置は、再キーイング手続きの間に確定された第２のデフォルトのキーＩＤを用いて、再キーイング手続き後に受信された短いパケットのうちのいくつかを復号する。
【００８７】
[0066]図６は、本開示の観点にしたがった送信装置による無線通信のための例としての動作６００のブロック図を示す。動作６００は、受信局とのセッションに係るアクセスポイントのような送信装置によって実行され得る。
【００８８】
[0067]６０２において、装置は、第１のデフォルトのキーＩＤを用いて、装置とデバイスの間で承認されたキーを識別するキーＩＤフィールドを持たない第１の短いパケットを符号化する。６０４において、装置は、デバイスとの再キーイング手続きに加わる。６０６において、装置は、再キーイング手続きの間に確定された第２のデフォルトのキーＩＤを用いて、再キーイング手続き後にキーＩＤを持たない第２の短いパケットを符号化する。６０８において、装置は、第１および第２の短いパケットを送信する。
【００８９】
[0068]上述された方法の様々な動作は、対応する機能を実行可能な任意の適切な手段によって実行され得る。手段は、回路、アプリケーション特定用途向け集積回路（ＡＳＩＣ）、またはプロセッサを含むがそれらに限定されない様々なハードウェアおよび／またはソフトウェア構成部品（複数）および／またはモジュール（複数）を含み得る。一般的に、図に示された複数の動作がある場合、それらの動作は、類似の番号が付された対応するカウンターパートミーンズ・プラス・ファンクションの構成要素を有し得る。例えば、図５および６に示された動作５００および６００はそれぞれ、図５Ａおよび６Ａに示される手段５００Ａおよび６００Ａに対応する。
【００９０】
[0069]例えば、送信するための手段は、図２に示されたアクセスポイント１１０の送信機（例えば、送信機ユニット２２２）および／またはアンテナ（複数）２２４または図３に描かれた送信機３１０および／またはアンテナ（複数）３１６を備え得る。受信するための手段は、図２に示されたアクセスポイント１１０の受信機（例えば、受信機ユニット２２２）および／またはアンテナ（複数）２２４または図３に描かれた受信機３１２および／またはアンテナ（複数）３１６を備え得る。動作を処理するための手段、決定するための手段、検出するための手段、走査するための手段、選択するための手段、または終わらせるための手段は、図２に示されたアクセスポイント１１０のＲＸデータプロセッサ２４２、ＴＸデータプロセッサ２１０のような１つまたは複数のプロセッサ、および／またはコントローラ２３０、または図３に描写されたプロセッサ３０４および／またはＤＳＰ３２０を含み得る処理システムを備え得る。
【００９１】
[0070]ある観点にしたがって、こういった手段は、関連づけを速く行うために上述した様々なアルゴリズムを（例えば、ハードウェアにおいてまたはソフトウェア命令によって）実装することによって、対応する機能を実行するように構成された処理システムによって実装され得る。例えば、受信するための手段は、図２および３に示された受信機ユニットを含み得、復号するための手段は、入力として受信手段からの短いパケットを受信するアルゴリズムを実行する処理システムによって実装され得、および（予め確定された）第１のデフォルトのキーＩＤを用いて短いパケットを復号し、その一方で、再キーイング手続きに加わるための手段は、次に使用するための第２のデフォルトのキーＩＤを確定するためのアルゴリズム（例えば、図２に示されるＲＸプロセッサ）を実行する処理システムによって実装され得る。同様に、符号化するための手段は、第１のデフォルトのキーＩＤを用いて短いパケットを符号化するために、アルゴリズムを実行する処理システム（例えば、図２または３に示されるプロセッサのうちの１つ）によって実装され得、および短いパケットを送信するための手段は、図２または３に示された送信機ユニットのいずれかによって実装され得る。
【００９２】
[0071]ここで用いられたように、用語「決定すること」は、多種多様な動作を網羅する。例えば、「決定すること」は、計算すること、コンピュータで計算すること、処理すること、抽出すること、調査すること、検索すること（例えば、テーブル、データベースまたは別のデータ構造内で検索すること）、確認すること、などを含み得る。同様に、「決定すること」は、受信すること（例えば、情報を受信すること）アクセスすること（例えば、メモリ内のデータにアクセスすること）などを含み得る。また、「決定すること」は、解決すること、選択すること(selecting)、選択すること(choosing)、確定すること、などを含み得る。
【００９３】
[0072]ここで用いられたように、項目のリスト「のうちの少なくとも１つの」を指すフレーズは、単一の要素を含むそれらの項目の任意の組合せを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることを意図している。
【００９４】
[0073]本開示に関連して記載された種々の例示的な論理ブロック、モジュールおよび回路は、ここに記載された機能を実行するために設計された汎用目的プロセッサ、デジタル・信号・プロセッサ（ＤＳＰ）、アプリケ−ション特定用途向け集積回路（ＡＳＩＣ）、フィールド・プログラマブル・ゲート・アレイ（ＦＰＧＡ）または他のプログラム可能な論理デバイス、ディスクリートゲートまたはトランジスタ論理、ディスクリートハードウェア構成要素、またはそれらの任意の組み合わせと共に実装されるか、あるいは実行され得る。汎用目的プロセッサは、マイクロプロセッサであっても良いが、代替として、該プロセッサは、一般に市販されているプロセッサ、コントローラ、マイクロコントローラ、またはステートマシーンのいずれかであっても良い。プロセッサはまた、例えば、ＤＳＰとマイクロプロセッサの組合せ、複数のマイクロプロセッサ、ＤＳＰコアと連結する１つまた複数のマイクロプロセッサ、または任意の他のこういった構成であるコンピューティングデバイスの組み合わせとして実装され得る。
【００９５】
[0074]本開示と関連して説明された方法またはアルゴリズムのステップは、ハードウェア、プロセッサによって実行されるソフトウェアモジュール、またはその２つの組合せにおいて直接具体化され得る。ソフトウェアモジュールは、当技術分野で周知の記憶媒体の任意の形式に属し得る。用いられ得る記憶媒体のいくつかの例は、ランダムアクセスメモリ（ＲＡＭ）、読み取り専用メモリ（ＲＯＭ）、フラッシュメモリ、ＥＰＲＯＭメモリ、ＥＥＰＲＯＭ（登録商標）メモリ、レジスタ、ハードディスク、リムーバブル・ディク、ＣＤ−ＲＯＭなどを含む。ソフトウェアモジュールは、単一の命令または多くの命令を備え得、および
種々の異なるコードセグメントにわたって、異なるプログラムの間で、および複数の記憶媒体をわたって分配され得る。記憶媒体は、プロセッサが記憶媒体から情報を読み取り、および記憶媒体へ情報を書き込むことができるように該プロセッサに結合され得る。代替として、記憶媒体はプロセッサに一体化され得る。
【００９６】
[0075]ここに記載した方法は、記載された方法を実現するための１つまたは複数のステップまたは動作を備える。方法のステップおよび／または動作は請求項の範囲から逸脱することなく相互に置き換えられ得る。言い換えれば、ステップまたは動作の特定の順序が特定されない限り、特定のステップおよび／または動作の順序および／または使用は、請求項の範囲を逸脱することなく修正され得る。
【００９７】
[0076]説明された機能は、ハードウェア、ソフトウェア、ファ−ムウェア、またはそれらの任意の組合せに実装され得る。ハードウェアに実施された場合、例としてのハードウェア構成は無線ノードに処理システムを備え得る。処理システムは、バスアーキテクチャと共に実装され得る。バスは、処理システムの特定のアプリケーションと全体の設計制約に依存するいくつかの相互接続されるバスとブリッジを含み得る。バスは、プロセッサ、機械可読媒体、およびバスインターフェースを含む様々な回路を共にリンクし得る。バスインターフェースは、他の物のうちのネットワークアダプタを、バスを介した処理システムに接続するために用いられ得る。ネットワークアダプタは、ＰＨＹ層の信号処理機能を実行するために用いられ得る。ユーザ端末１２０（図１を参照のこと）の場合おいて、ユーザインターフェース（例えば、キーパッド、ディスプレー、マウス、ジョイスティックなど）はバスにも接続され得る。バスは、当技術分野において良く知られたタイミングソース、周辺機器、電圧レギュレータ、電力管理回路などのような様々な他の回路にも結合され得るためこれ以上説明されない。
【００９８】
[0077]プロセッサは、バスを管理することと、機械可読媒体に格納されたソフトウェアの実行を含む汎用処理に関与し得る。プロセッサは、１つまたは複数の汎用目的および／または特別目的プロセッサとともに実装され得る。複数の例は、マイクロプロセッサ、マイクロコントローラ、ＤＳＰプロセッサ、およびソフトウェアを実行可能な他の回路構成要素を含む。ソフトウェアは、ソフトウェア、ファ−ムウェア、ミドルウェア、マイクロコード、ハードウェア記述言語、またはそれ例外の呼び方で呼ばれようが、命令、データ、またはそれらの任意の組合せを意味すると広義に解釈されるだろう。機械可読媒体は、例として、ＲＡＭ（ランダム・アクセス・メモリ）、フラッシュ・メモリ、ＲＯＭ（読み取り専用メモリ）、ＰＲＯＭ（プログラマブル読み取り専用メモリ）、ＥＰＲＯＭ（消去可能なプログラマブル読み取り専用メモリ）、ＥＥＰＲＯＭ（電気的に消去可能なプログラマブル読み取り専用メモリ）、レジスタ、磁気ディスク（disk）、光ディスク、ハードドライブ、または任意の他の適切な記憶媒体、またはそれらの任意の組合せを含み得る。機械可読媒体は、コンピュータ・プログラム・プロダクトにおいて具体化され得る。コンピュータ・プログラム・プロダクトは、梱包材を備え得る。
【００９９】
[0078]ハードウェアの実装において、機械可読媒体は、プロセッサから分離した処理システムの一部であり得る。しかし、当業者が容易に理解するように、機械可読媒体、またはそれらの任意の部分が処理システムの外部にある。例として、機械可読媒体は、送信路、データによって変調された搬送波、および／または無線ノードから分離したコンピュータ・プロダクトを含み得、それらの全てがバスインターフェースを経由してプロセッサによってアクセスされ得る。代替として、またはそれらに加えて、機械可読媒体またはそれらの任意の部分はプロセッサに組み込まれ得、こういった場合はキャッシュおよび／または汎用レジスタファイルを伴い得る。
【０１００】
[0079]処理システムは、プロセッサ機能を提供する１つまたは複数のマイクロプロセッサと機械可読媒体の少なくとも一部を提供する外部メモリを有する汎用目的処理システムとして構成され得、全ては外部バスアーキテクチャを経由して他の支援回路と共に関連付けられる。代替として、処理システムは、プロセッサを有するＡＳＩＣ（特定用途向け集積回路）、バスインターフェースアクセス端末の場合はユーザインターフェース）、支援回路、および単一チップに統合されたまたは１つまたは複数のＦＰＧＡ（フィールド・プログラマブル・ゲート・アレイ）を有する機械可読媒体の少なくとも一部、ＰＬＤ（プログラマブル論理デバイス）、コントローラ、ステートマシーン、ゲート論理、ディスクリート・ハードウェア・コンポーネント、または任意の他の適切な回路、または本開示を通して説明された様々な機能を実行可能な回路の任意の組合せを用いて実行される。当業者は、特定のアプリケーションおよびシステム全体に課せられた設計制約全体に依存する処理システムのために記載された機能を実装することがいかに好ましいかを認めるだろう。
【０１０１】
[0080]機械可読媒体は、いくつかのソフトウェアモジュールを備え得る。ソフトウェアモジュールは、プロセッサによって実行されるとき、処理システムに様々な機能を実行させる命令を含む。ソフトウェアモジュールは、送信モジュールと受信モジュールを含み得る。各ソフトウェアモジュールは、単一の記憶デバイス内に存在し得るか、または複数の記憶デバイスにわたって分散され得る。例として、ソフトウェアモジュールは、トリガとなる事象が生じるとき、ハードドライブからＲＡＭにロードされ得る。ソフトウェアモジュールの実行中、プロセッサは、アクセス速度を増すためにいくつかの命令をキャッシュにロードし得る。１つまたは複数のキャッシュラインは次に、プロセッサによる実行のために汎用レジスタファイルにロードされ得る。下記でソフトウェアモジュールの機能に言及する際、こういった機能がそのソフトウェアモジュールからの命令を実行するときにプロセッサによって実施されることが理解されるだろう。
【０１０２】
[0081]ソフトウェアに実装される場合、機能は、１つまた複数の命令として送信されまたはコードとしてコンピュータ可読媒体に記憶され得る。コンピュータ可読媒体は、ある場所から別の場所へコンピュータプログラムの転送を容易にする任意の媒体を含むコンピュータ記憶媒体と、通信媒体の両方を含む。記憶媒体は、コンピュータによってアクセス可能な任意の入手可能な媒体であり得る。限定ではなく例として、こういったコンピュータ可読媒体は、命令またはデータ構造の形式で所望のプログラムコードを搬送または記憶するために用いられることが可能であり、およびコンピュータによってアクセス可能なＲＡＭ、ＲＯＭ、ＥＥＰＲＯＭ、ＣＤ−ＲＯＭまたは他の光学ディスク記憶装置、磁気ディスク記憶装置、他の磁気記憶デバイス、または任意の他の媒体を備えることが可能である。また、任意の接続は、コンピュータ可読媒体と適切に呼ばれ得る。例えば、ソフトウェアが、同軸ケーブル、光ファイバーケーブル、ツイストペア、デジタル加入者線（ＤＳＬ）、または赤外線（ＩＲ）、無線およびマイクロ波用いてウェブサイト、サーバ、または他の遠隔ソースから送信される場合、同軸ケーブル、光ファイバーケーブル、ツイストペア、ＤＳＬ、または赤外線、無線およびマイクロ波のような無線技術が、媒体の定義に含まれる。ディスク(Disk)とディスク(disc)は、ここで使われるように、コンパクトディスク(compact disc)（ＣＤ）、レーザーディスク（登録商標）(laser disc)、光学ディスク(optical disc)、デジタル汎用ディスク（ＤＶＤ）(digital versatile disc)、フロッピー（登録商標）ディスク(floppy disk)、およびブルーレイディスク(blue-ray disc)を含み、ここでディスク(disks)は通常データを磁気的に再生し、一方ディスク(discs)はレーザーを用いてデータを光学的に再生する。したがって、いくつかの観点において、コンピュータ可読媒体は、非一時的なコンピュータ可読媒体（例えば、実体のある媒体）を備え得る。さらに、他の観点に関して、コンピュータ可読媒体は、一時的なコンピュータ可読媒体（例えば、信号）を備え得る。上記の組み合わせはまた、コンピュータ可読媒体の範囲に含まれるべきである。
【０１０３】
[0082]したがって、特定の観点は、ここで表された動作を実行するためのコンピュータ・プログラム・プロダクトを備え得る。例えば、こういったコンピュータ・プログラム・プロダクトは、そこに格納された（および／または符号化された命令）を有するコンピュータ可読媒体を備え得、その命令は、ここに記載された動作を実行するために１つまたは複数のプロセッサによって実行可能である。特定の観点に関して、コンピュータ・プログラム・プロダクトは、梱包材を含み得る。
【０１０４】
[0083]さらに、ここに記載された方法および技術を実行するためのモジュールおよび／または他の適切な手段は、適用可能なユーザ端末および／または基地局によってダウンロードおよび／またはさもなければ取得可能であることが評価されるべきである。例えば、こういったデバイスは、ここに記載された方法を実行するための手段の転送を容易にするためにサーバに接続されることができる。代替として、ここに記載された方法は、ユーザ端末および／または基地局が、記憶手段をデバイスに結合または提供すると様々な方法を取得可能であるように記憶手段（例えば、ＲＡＭ、ＲＯＭ、コンパクトディスク（ＣＤ）またはフロッピーディスクのような物理記憶媒体、など）を介して提供可能である。さらに、ここに記載された方法および技術をデバイスに提供するための任意の他の適切な技術が利用可能である。
【０１０５】
[0084]請求項は上述された正確な構成および構成要素に限定されないことが理解されるべきである。様々な修正、変更、およびバリエーションが請求項の範囲から逸脱することなく上述された方法、および装置の配置、動作、および詳細において行われ得る。
【図１】
2016503997.tif 000033
【図２】
2016503997.tif 000034
【図３】
2016503997.tif 000035
【図４Ａ】
2016503997.tif 000036
【図４Ｂ】
2016503997.tif 000037
【図５】
2016503997.tif 000038
【図５Ａ】
2016503997.tif 000039
【図６】
2016503997.tif 000040
【図６Ａ】
2016503997.tif 000041
【手続補正書】
【提出日】平成27年9月9日(2015.9.9)
【手続補正１】
【補正対象書類名】特許請求の範囲
【補正対象項目名】全文
【補正方法】変更
【補正の内容】
【特許請求の範囲】
【請求項１】
無線通信のための装置であって、
デバイスから短いパケットを受信するように構成された受信機と、キーＩＤフィールドを持たない前記短いパケットは、前記装置と前記デバイスの間で承認されたキーを識別する、
および
第１のデフォルトのキーＩＤを用いて前記受信された短いパケットのうちのいくつかを復号し、
前記デバイスとの再キーイング手続きに加わり、および
前記再キーイング手続きの最中に確定された第２のデフォルトのキーＩＤを用いて前記再キーイング手続き後に前記受信された短いパケットのうちのいくつかを復号する、
ように構成されたデコーダと、
を備える、装置。
【請求項２】
前記再キーイング手続きの最中に、前記装置は、キーＩＤフィールドを含む前記デバイスからの追加のパケットを受信する、請求項１に記載の装置。
【請求項３】
前記キーＩＤフィールドは、前記第１のデフォルトのキーＩＤを識別する、請求項２に記載の装置。
【請求項４】
前記デコーダは、前記再キーイング手続きがキーＩＤフィールドを持たないより多くの短いパケットを受信した後に完了すること、を決定するようにさらに構成される、請求項２に記載の装置。
【請求項５】
前記デコーダは、前記第２のデフォルトのキーＩＤに設定されたキーＩＤフィールドを含むパケットの受信に基づいて、前記第２のデフォルトのキーＩＤフィールドを決定するようにさらに構成される、請求項１に記載の装置。
【請求項６】
無線通信のための装置であって、
第１のデフォルトのキーＩＤを用いて前記装置とデバイスの間で承認されたキーを識別するキーＩＤフィールドを持たない第１の短いパケットを符号化し、前記デバイスとの再キーイング手続きに加わり、および前記再キーイング手続きの最中に確定された第２のデフォルトのキーＩＤを用いて前記再キーイング手続き後に前記キーＩＤを持たない第２の短いパケットを符号化する、ように構成されたエンコーダと、
および、
前記第１および第２の短いパケットを送信するように構成された送信機と、
を備える、無線通信のための装置。
【請求項７】
前記再キーイング手続きの最中に、前記装置は、キーＩＤフィールドを含む前記デバイスへのパケットを送信する、請求項６に記載の装置。
【請求項８】
前記キーＩＤフィールドは、前記第１のデフォルトのキーＩＤを識別する、請求項７に記載の装置。
【請求項９】
前記装置は、前記再キーイング手続きがキーＩＤフィールドを持たない前記第２の短いパケットを送信することによって完了することを示すように構成される、請求項７に記載の装置。
【請求項１０】
前記装置は、前記第２のデフォルトのキーＩＤに設定されたキーＩＤフィールドを含むパケットの送信に基づいて、前記第２のデフォルトのキーＩＤフィールドを示すように構成される、請求項６に記載の装置。
【請求項１１】
前記第１および第２の短いパケットは、ペアワイズ一時キー（ＰＴＫ）を用いて符号化される、請求項６に記載の装置。
【請求項１２】
前記第１および第２の短いパケットは、グループ一時キー（ＧＴＫ)を用いて符号化される、請求項６に記載の装置。
【請求項１３】
装置による無線通信のための方法であって、
デバイスから短いパケットを受信することと、前記短いパケットは前記装置と前記デバイスの間で承認されたキーを識別するキーＩＤフィールドを持たない、
第１のデフォルトのキーＩＤを用いて前記受信された短いパケットのうちのいくつかを復号することと、
前記デバイスとの再キーイング手続きに加わることと、および
前記再キーイング手続きの最中に確定された第２のデフォルトのキーＩＤを用いて前記再キーイング手続き後に前記受信された短いパケットのうちのいくつかを復号することと、
を備える、方法。
【請求項１４】
前記再キーイング手続きの最中に、前記装置は、キーＩＤフィールドを含む前記デバイスからの追加のパケットを受信する、請求項１３に記載の方法。
【請求項１５】
前記キーＩＤフィールドは、前記第１のデフォルトのキーＩＤを識別する、請求項１４に記載の方法。
【請求項１６】
前記再キーイング手続きがキーＩＤフィールドを持たないより多くの短いパケットを受信した後に完了すること、を決定することをさらに備える、請求項１４に記載の方法。
【請求項１７】
前記第２のデフォルトのキーＩＤに設定されたキーＩＤフィールドを含むパケットの受信に基づいて、前記第２のデフォルトのキーＩＤフィールドを決定することをさらに備える、請求項１３に記載の方法。
【請求項１８】
装置による無線通信のための方法であって、
第１のデフォルトのキーＩＤを用いて前記装置とデバイスの間で承認されたキーを識別するキーＩＤフィールドを持たない第１の短いパケットを符号化することと、
前記デバイスとの再キーイング手続きに加わることと、
前記再キーイング手続きの最中に確定された第２のデフォルトのキーＩＤを用いて前記再キーイング手続き後に前記キーＩＤを持たない第２の短いパケットを符号化することと、および、
前記第１および第２の短いパケットを送信すること、
を備える、方法。
【請求項１９】
前記再キーイング手続きの最中に、前記装置は、キーＩＤフィールドを含む前記デバイスへのパケットを送信する、請求項１８に記載の方法。
【請求項２０】
前記キーＩＤフィールドは前記第１のデフォルトのキーＩＤを識別する、請求項１９に記載の方法。
【請求項２１】
前記再キーイング手続きがキーＩＤフィールドを持たない前記第２の短いパケットを送信することによって完了すること、を示すことをさらに備える、請求項１９に記載の方法。
【請求項２２】
前記第２のデフォルトのキーＩＤに設定されたキーＩＤフィールドを含むパケットを送信することに基づいて、前記第２のデフォルトのキーＩＤフィールドを示すことをさらに備える、請求項１８に記載の方法。
【請求項２３】
前記第１および第２の短いパケットは、ペアワイズ一時キー（ＰＴＫ）を用いて符号化される、請求項１８に記載の方法。
【請求項２４】
前記第１および第２の短いパケットは、グループ一時キー（ＧＴＫ)を用いて符号化される、請求項１８に記載の方法。
【請求項２５】
プロセッサによって実行された時に請求項１３から２４のいずれかの前記方法のステップを実行することを前記プロセッサにさせる命令を記憶したコンピュータ可読媒体。
【手続補正２】
【補正対象書類名】明細書
【補正対象項目名】０１０５
【補正方法】変更
【補正の内容】
【０１０５】
[0084]請求項は上述された正確な構成および構成要素に限定されないことが理解されるべきである。様々な修正、変更、およびバリエーションが請求項の範囲から逸脱することなく上述された方法、および装置の配置、動作、および詳細において行われ得る。
以下に、本願出願の当初の特許請求の範囲に記載された発明を付記する。
[Ｃ１]
無線通信のための装置であって、
デバイスから短いパケットを受信するように構成された受信機と、キーＩＤフィールドを持たない前記短いパケットは、前記装置と前記デバイスの間で承認されたキーを識別する、
および
第１のデフォルトのキーＩＤを用いて前記受信された短いパケットのうちのいくつかを復号し、
前記デバイスとの再キーイング手続きに加わり、および
前記再キーイング手続きの最中に確定された第２のデフォルトのキーＩＤを用いて前記再キーイング手続き後に前記受信された短いパケットのうちのいくつかを復号する、
ように構成されたデコーダと、
を備える、装置。
[Ｃ２]
前記再キーイング手続きの最中に、前記装置は、キーＩＤフィールドを含む前記デバイスからの追加のパケットを受信する、Ｃ１に記載の装置。
[Ｃ３]
前記キーＩＤフィールドは、前記第１のデフォルトのキーＩＤを識別する、Ｃ２に記載の装置。
[Ｃ４]
前記デコーダは、前記再キーイング手続きがキーＩＤフィールドを持たないより多くの短いパケットを受信した後に完了すること、を決定するようにさらに構成される、Ｃ２に記載の装置。
[Ｃ５]
前記デコーダは、前記第２のデフォルトのキーＩＤに設定されたキーＩＤフィールドを含むパケットの受信に基づいて、前記第２のデフォルトのキーＩＤフィールドを決定するようにさらに構成される、Ｃ１に記載の装置。
[Ｃ６]
無線通信のための装置であって、
第１のデフォルトのキーＩＤを用いて前記装置とデバイスの間で承認されたキーを識別するキーＩＤフィールドを持たない第１の短いパケットを符号化し、前記デバイスとの再キーイング手続きに加わり、および前記再キーイング手続きの最中に確定された第２のデフォルトのキーＩＤを用いて前記再キーイング手続き後に前記キーＩＤを持たない第２の短いパケットを符号化する、ように構成されたエンコーダと、
および、
前記第１および第２の短いパケットを送信するように構成された送信機と、
を備える、無線通信のための装置。
[Ｃ７]
前記再キーイング手続きの最中に、前記装置は、キーＩＤフィールドを含む前記デバイスへのパケットを送信する、Ｃ６に記載の装置。
[Ｃ８]
前記キーＩＤフィールドは、前記第１のデフォルトのキーＩＤを識別する、Ｃ７に記載の装置。
[Ｃ９]
前記装置は、前記再キーイング手続きがキーＩＤフィールドを持たない前記第２の短いパケットを送信することによって完了することを示すように構成される、Ｃ７に記載の装置。
[Ｃ１０]
前記装置は、前記第２のデフォルトのキーＩＤに設定されたキーＩＤフィールドを含むパケットの送信に基づいて、前記第２のデフォルトのキーＩＤフィールドを示すように構成される、Ｃ６に記載の装置。
[Ｃ１１]
前記第１および第２の短いパケットは、ペアワイズ一時キー（ＰＴＫ）を用いて符号化される、Ｃ６に記載の装置。
[Ｃ１２]
前記第１および第２の短いパケットは、グループ一時キー（ＧＴＫ)を用いて符号化される、Ｃ６に記載の装置。
[Ｃ１３]
装置による無線通信のための方法であって、
デバイスから短いパケットを受信することと、前記短いパケットは前記装置と前記デバイスの間で承認されたキーを識別するキーＩＤフィールドを持たない、
第１のデフォルトのキーＩＤを用いて前記受信された短いパケットのうちのいくつかを復号することと、
前記デバイスとの再キーイング手続きに加わることと、および
前記再キーイング手続きの最中に確定された第２のデフォルトのキーＩＤを用いて前記再キーイング手続き後に前記受信された短いパケットのうちのいくつかを復号することと、
を備える、方法。
[Ｃ１４]
前記再キーイング手続きの最中に、前記装置は、キーＩＤフィールドを含む前記デバイスからの追加のパケットを受信する、Ｃ１３に記載の方法。
[Ｃ１５]
前記キーＩＤフィールドは、前記第１のデフォルトのキーＩＤを識別する、Ｃ１４に記載の方法。
[Ｃ１６]
前記再キーイング手続きがキーＩＤフィールドを持たないより多くの短いパケットを受信した後に完了すること、を決定することをさらに備える、Ｃ１４に記載の方法。
[Ｃ１７]
前記第２のデフォルトのキーＩＤに設定されたキーＩＤフィールドを含むパケットの受信に基づいて、前記第２のデフォルトのキーＩＤフィールドを決定することをさらに備える、Ｃ１３に記載の方法。
[Ｃ１８]
装置による無線通信のための方法であって、
第１のデフォルトのキーＩＤを用いて前記装置とデバイスの間で承認されたキーを識別するキーＩＤフィールドを持たない第１の短いパケットを符号化することと、
前記デバイスとの再キーイング手続きに加わることと、
前記再キーイング手続きの最中に確定された第２のデフォルトのキーＩＤを用いて前記再キーイング手続き後に前記キーＩＤを持たない第２の短いパケットを符号化することと、および、
前記第１および第２の短いパケットを送信すること、
を備える、方法。
[Ｃ１９]
前記再キーイング手続きの最中に、前記装置は、キーＩＤフィールドを含む前記デバイスへのパケットを送信する、Ｃ１８に記載の方法。
[Ｃ２０]
前記キーＩＤフィールドは前記第１のデフォルトのキーＩＤを識別する、Ｃ１９に記載の方法。
[Ｃ２１]
前記再キーイング手続きがキーＩＤフィールドを持たない前記第２の短いパケットを送信することによって完了すること、を示すことをさらに備える、Ｃ１９に記載の方法。
[Ｃ２２]
前記第２のデフォルトのキーＩＤに設定されたキーＩＤフィールドを含むパケットを送信することに基づいて、前記第２のデフォルトのキーＩＤフィールドを示すことをさらに備える、Ｃ１８に記載の方法。
[Ｃ２３]
前記第１および第２の短いパケットは、ペアワイズ一時キー（ＰＴＫ）を用いて符号化される、Ｃ１８に記載の方法。
[Ｃ２４]
前記第１および第２の短いパケットは、グループ一時キー（ＧＴＫ)を用いて符号化される、Ｃ１８に記載の方法。
【手続補正書】
【提出日】平成27年9月10日(2015.9.10)
【手続補正１】
【補正対象書類名】特許請求の範囲
【補正対象項目名】全文
【補正方法】変更
【補正の内容】
【特許請求の範囲】
【請求項１】
無線通信のための装置であって、
デバイスから短いパケットを受信するように構成された受信機と、キーＩＤフィールドを持たない前記短いパケットは、前記装置と前記デバイスの間で承認されたキーを識別する、
および
第１のデフォルトのキーＩＤを用いて前記受信された短いパケットのうちのいくつかを復号し、
前記デバイスとの再キーイング手続きに加わり、ここにおいて、前記再キーイング手続きは、
前記受信された短いパケットを復号することを一時的に停止することと、および
第２のデフォルトのキーＩＤを確立すること、
を備える、および
前記再キーイング手続きの最中に確定された前記第２のデフォルトのキーＩＤを用いて前記再キーイング手続き後に前記受信された短いパケットのうちのいくつかを復号する、
ように構成されたデコーダと、
を備える、装置。
【請求項２】
前記再キーイング手続きの最中に、前記装置は、キーＩＤフィールドを含む前記デバイスからの追加のパケットを受信する、請求項１に記載の装置。
【請求項３】
前記キーＩＤフィールドは、前記第１のデフォルトのキーＩＤを識別する、請求項２に記載の装置。
【請求項４】
前記デコーダは、前記再キーイング手続きがキーＩＤフィールドを持たないより多くの短いパケットを受信した後に完了すること、を決定するようにさらに構成される、請求項２に記載の装置。
【請求項５】
前記デコーダは、前記第２のデフォルトのキーＩＤに設定されたキーＩＤフィールドを含むパケットの受信に基づいて、前記第２のデフォルトのキーＩＤフィールドを決定するようにさらに構成される、請求項１に記載の装置。
【請求項６】
無線通信のための装置であって、
第１のデフォルトのキーＩＤを用いて前記装置とデバイスの間で承認されたキーを識別するキーＩＤフィールドを持たない第１の短いパケットを符号化し、
前記デバイスとの再キーイング手続きに加わり、ここにおいて、前記再キーイング手続きは、
前記第１の短いパケットを符号化することを一時的に停止することと、
第２のデフォルトのキーＩＤを確立すること、
を備える、および
前記再キーイング手続きの最中に確定された前記第２のデフォルトのキーＩＤを用いて前記再キーイング手続き後に前記キーＩＤを持たない第２の短いパケットを符号化する、  ように構成されたエンコーダと、および、
前記第１および第２の短いパケットを送信するように構成された送信機と、
を備える、無線通信のための装置。
【請求項７】
前記再キーイング手続きの最中に、前記装置は、キーＩＤフィールドを含む前記デバイスへのパケットを送信する、請求項６に記載の装置。
【請求項８】
前記キーＩＤフィールドは、前記第１のデフォルトのキーＩＤを識別する、請求項７に記載の装置。
【請求項９】
前記装置は、前記再キーイング手続きがキーＩＤフィールドを持たない前記第２の短いパケットを送信することによって完了することを示すように構成される、請求項７に記載の装置。
【請求項１０】
前記装置は、前記第２のデフォルトのキーＩＤに設定されたキーＩＤフィールドを含むパケットの送信に基づいて、前記第２のデフォルトのキーＩＤフィールドを示すように構成される、請求項６に記載の装置。
【請求項１１】
前記第１および第２の短いパケットは、ペアワイズ一時キー（ＰＴＫ）を用いて符号化される、請求項６に記載の装置。
【請求項１２】
前記第１および第２の短いパケットは、グループ一時キー（ＧＴＫ)を用いて符号化される、請求項６に記載の装置。
【請求項１３】
装置による無線通信のための方法であって、
デバイスから短いパケットを受信することと、前記短いパケットは前記装置と前記デバイスの間で承認されたキーを識別するキーＩＤフィールドを持たない、
第１のデフォルトのキーＩＤを用いて前記受信された短いパケットのうちのいくつかを復号することと、
前記デバイスとの再キーイング手続きに加わることと、ここにおいて、前記再キーイング手続きは、
前記受信された短いパケットを復号することを一時的に停止することと、および
第２のデフォルトのキーＩＤを確立すること、
を備える、および
前記再キーイング手続きの最中に確定された前記第２のデフォルトのキーＩＤを用いて前記再キーイング手続き後に前記受信された短いパケットのうちのいくつかを復号することと、
を備える、方法。
【請求項１４】
前記再キーイング手続きの最中に、前記装置は、キーＩＤフィールドを含む前記デバイスからの追加のパケットを受信する、請求項１３に記載の方法。
【請求項１５】
前記キーＩＤフィールドは、前記第１のデフォルトのキーＩＤを識別する、請求項１４に記載の方法。
【請求項１６】
前記再キーイング手続きがキーＩＤフィールドを持たないより多くの短いパケットを受信した後に完了すること、を決定することをさらに備える、請求項１４に記載の方法。
【請求項１７】
前記第２のデフォルトのキーＩＤに設定されたキーＩＤフィールドを含むパケットの受信に基づいて、前記第２のデフォルトのキーＩＤフィールドを決定することをさらに備える、請求項１３に記載の方法。
【請求項１８】
装置による無線通信のための方法であって、
第１のデフォルトのキーＩＤを用いて前記装置とデバイスの間で承認されたキーを識別するキーＩＤフィールドを持たない第１の短いパケットを符号化することと、
前記デバイスとの再キーイング手続きに加わることと、ここにおいて、前記再キーイング手続きは、
前記第１の短いパケットを符号化することを一時的に停止することと、
第２のデフォルトのキーＩＤを確立すること、
を備える、
前記再キーイング手続きの最中に確定された前記第２のデフォルトのキーＩＤを用いて前記再キーイング手続き後に前記キーＩＤを持たない第２の短いパケットを符号化することと、および、
前記第１および第２の短いパケットを送信すること、
を備える、方法。
【請求項１９】
前記再キーイング手続きの最中に、前記装置は、キーＩＤフィールドを含む前記デバイスへのパケットを送信する、請求項１８に記載の方法。
【請求項２０】
前記キーＩＤフィールドは前記第１のデフォルトのキーＩＤを識別する、請求項１９に記載の方法。
【請求項２１】
前記再キーイング手続きがキーＩＤフィールドを持たない前記第２の短いパケットを送信することによって完了すること、を示すことをさらに備える、請求項１９に記載の方法。
【請求項２２】
前記第２のデフォルトのキーＩＤに設定されたキーＩＤフィールドを含むパケットを送信することに基づいて、前記第２のデフォルトのキーＩＤフィールドを示すことをさらに備える、請求項１８に記載の方法。
【請求項２３】
前記第１および第２の短いパケットは、ペアワイズ一時キー（ＰＴＫ）を用いて符号化される、請求項１８に記載の方法。
【請求項２４】
前記第１および第２の短いパケットは、グループ一時キー（ＧＴＫ)を用いて符号化される、請求項１８に記載の方法。
【請求項２５】
プロセッサによって実行された時に請求項１３から２４のいずれかの前記方法のステップを実行することを前記プロセッサにさせる命令を記憶したコンピュータ可読媒体。
【国際調査報告】
2016503997.tif 000042
2016503997.tif 000043
2016503997.tif 000044